(57)【要約】      （修正有）【課題】水洗い後の乾燥時間を短縮できる充電式電気かみそりを提供する。【解決手段】刃部２の乾燥用の熱を発する発熱部を備えるとともに、該発熱部は刃部２の不使用時に刃部２を覆って保護する保護部材４に設けている。不使用時に刃部２を覆って保護する保護部材４に設けた発熱部の熱で刃部２を乾燥する。発熱部は充電器側に設けた一時側コイルとの電磁誘導結合のための二次側コイルと、この二次側コイルを介して電力が供給される発熱体とからなる。【選択図】図１
2005199083.tif 000002
【特許請求の範囲】
【請求項１】
刃部の乾燥用の熱を発する発熱部を備えるとともに、該発熱部は刃部の不使用時に刃部を覆って保護する保護部材に設けていることを特徴とする充電式電気かみそり。
【請求項２】
発熱部は充電器側に設けられた一次側コイルとの電磁誘導結合のための二次側コイルとこの二次側コイルを介して電力が供給される発熱体とからなることを特徴とする請求項１記載の充電式電気かみそり。
【請求項３】
発熱体は抵抗発熱線であることを特徴とする請求項２記載の充電式電気かみそり。
【請求項４】
発熱体はペルチェ素子であることを特徴とする請求項２記載の充電式電気かみそり。
【請求項５】
発熱部は充電器側に設けられた一次側コイルによる電磁誘導加熱で発熱する磁性体で形成されていることを特徴とする請求項１記載の充電式電気かみそり。
【請求項６】
保護部材は刃部側の内面が磁性体で、外面側が非磁性体で形成されていることを特徴とする請求項５記載の充電式電気かみそり。
【請求項７】
保護部材は電気かみそりへの係合取り付け用の係合取付部を備えるとともに該係合取付部が非磁性体で形成されていることを特徴とする請求項５または６記載の充電式電気かみそり。
【請求項８】
保護部材は昇華性の消臭剤乃至抗菌剤を備えていることを特徴とする請求項１記載の充電式電気かみそり。
【請求項９】
充電器側の上記一次側コイルは、電気かみそりに設けられた二次側コイルとの電磁誘導結合で充電用電力を供給するものであることを特徴とする請求項１記載の充電式電気かみそり。
【発明の詳細な説明】
【技術分野】
【０００１】
本発明は充電式電気かみそり、殊に充電のための電源との接続を電磁誘導による非接触で行うようにしたものに関する。
【背景技術】
【０００２】
電気かみそりでは髭屑や顔の脂分が刃に付着するが、これらはブラシなどによる清掃では除去が困難であり、また臭いも残りやすい。しかし水洗いが可能な電気かみそりでは、髭屑や脂分の除去を確実に行うことができ、電気かみそりを清潔に保つことが可能である。
【０００３】
しかし、水洗いをした後の電気かみそりは、その刃部分に多くの水滴が付着したままとなるが、従来は自然乾燥させていたために、乾燥までに時間がかかるものとなっていた。
【発明の開示】
【発明が解決しようとする課題】
【０００４】
本発明は上記の従来の問題点に鑑みて発明したものであって、水洗い後の乾燥時間を短縮することができる充電式電気かみそりを提供することを課題とするものである。
【課題を解決するための手段】
【０００５】
上記課題を解決するために本発明に係る充電式電気かみそりは、刃部の乾燥用の熱を発する発熱部を備えるとともに、該発熱部は刃部の不使用時に刃部を覆って保護する保護部材に設けていることに特徴を有している。不使用時に刃部を覆って保護する保護部材に設けた発熱部の熱で刃部を乾燥するようにしたものである。
【０００６】
上記発熱部として充電器側に設けられた一次側コイルとの電磁誘導結合のための二次側コイルとこの二次側コイルを介して電力が供給される発熱体とからなるものを用いると、刃部の加熱を効率よく行うことができる。
【０００７】
発熱部は充電器側に設けられた一次側コイルによる電磁誘導加熱で発熱する磁性体で形成されたものとしてもよく、この場合、二次側コイルや発熱体を保護キャップに設ける必要がなく、コストダウンを図ることができる。
【０００８】
この時、保護部材は刃部側の内面が磁性体で、外面側が非磁性体で形成されているものとすると、保護部材の外面が熱くならないために、取り扱いの点で好ましい。また、保護部材が電気かみそりへの係合取り付け用の係合取付部を備えたものでは、該係合取付部が非磁性体で形成されていることが電気かみそりの刃部以外への熱的影響を避けることができる点で好ましい。
【０００９】
保護部材が昇華性の消臭剤乃至抗菌剤を備えたものであってもよい。消臭や抗菌を同時に行うことができる。
【００１０】
そして、充電器側の上記一次側コイルは、電気かみそりに設けられた二次側コイルとの電磁誘導結合で充電用電力を供給するものを利用するものであれば、発熱部に電源を供給する充電器側のコストを下げることができる。
【発明の効果】
【００１１】
本発明は、不使用時に刃部を覆って保護する保護部材に設けた発熱部の熱で刃部を乾燥するものであるために、刃部の水洗い後の乾燥時間を短縮することができる上に、刃部を傷めるおそれのない状態で刃部の乾燥を行うことができる。
【発明を実施するための最良の形態】
【００１２】
本発明の実施の形態の一例について説明すると、図１に示すように、上端に刃部２を備えた電気かみそり１はその内部に二次電池１０とモータ１１、二次側コイル１２を内蔵するとともにスイッチ１３を備えたもので、二次側コイル１２は下端底部に配されている。一方、充電器３は発振回路３０に接続された一次側コイル３１を内蔵している。
【００１３】
図中４は電気かみそり１の不使用時に刃部２の保護のための装着されるキャップ型の保護部材であり、内面側が金属磁性体４０、外面側が非磁性体４１で形成されている。
【００１４】
電気かみそり１の二次電池１０の充電にあたっては、図１(a)に示すように電気かみそり１を充電器３の上に置いて、内蔵する二次側コイル１２と充電器３の一次側コイル３１とを近接させることで、両者間の電磁誘導結合により充電器３側から電気かみそり１に電力を伝達する。
【００１５】
そして刃部２を水洗いした時には、図１(b)に示すように、保護部材４を刃部２に被せた電気かみそり１を上下逆さまにして充電器３の上にセットするのである。充電器側の一次側コイル３１が発する磁束の通過で保護部材４の金属磁性体４０が渦電流による発熱を行って、対面する刃部２の乾燥を促す。なお、保護部材４を電気かみそり１に取り付けておくための係合部４３は、合成樹脂である非磁性体４１の部分に設けている。また金属磁性体４０の表面は鏡面仕上げとし、髭剃りに際しての鏡として利用することができるようにしてある。
【００１６】
図２に他の実施の形態の例を示す。充電の際の一次側コイル３１を乾燥促進のための発熱用にも用いる点や、保護部材４において発熱させる点は上記のものと同じであるが、ここでは保護部材４に発熱体４４と、この発熱体４４に電力を供給するための専用の二次側コイル４２とを設けている。発熱体４４としてはニクロム線のような抵抗発熱体のほか、図３に示すようにペルチェ素子を用いてもよい。
【００１７】
内蔵二次電池１０の充電のために電気かみそり１を充電器３上に置いた時には、充電器３の一次側コイル３１と保護部材４内の二次側コイル４２とは離れているために、二次側コイル４２に電力が伝達されることはないが、上下逆さまに充電器３上に置いた時には、保護部材４内の二次側コイル４２に電流が流れて発熱体４４に発熱させるために、刃部２の乾燥を行うことができる。
【００１８】
図３中の７は保護部材４に設けた消臭剤乃至抗菌剤であり、昇華性のものを用いている。発熱体４４の熱で刃部２の乾燥を行う時、昇華性の消臭剤乃至抗菌剤による消臭乃至抗菌を同時に行うことができる。
【００１９】
充電器３側の一次側コイル３１は充電と乾燥とで兼用し、二次側コイルは充電用のものと発熱乾燥のためのものとに分けたものを示したが、一次側コイルも充電用と発熱乾燥用とを設けたものであってもよく、また二次側コイルを充電用と発熱乾燥用とで兼用して、電気かみそり１に設けたスイッチで、充電に用いるか発熱乾燥に用いるかを切り換えるようにしてもよい。
【００２０】
充電器３の一次側コイル３１は、図４に示すように電気かみそり１の下端側面に配した二次側コイル１２と対向する図示の位置に配してもよい。この場合、上下逆さまに置いた場合が充電、正立状態で置いた場合が刃部２の乾燥となる。なお、図４で示した保護部材４は全金属製の磁性体で形成されており、渦電流による発熱で刃部２の乾燥を促す。
【００２１】
上記の各例においては、一次側コイル及び二次側コイルにコアを備えたものを示したが、コアの無いものであってもよい。
【図面の簡単な説明】
【００２２】
【図１】本発明の実施の形態の一例を示すもので、(a)は充電時の概略断面図、(b)は発熱乾燥時の概略断面図である。
【図２】同上の他例の充電時の概略断面図である。
【図３】同上の発熱体の他例を示す斜視図である。
【図４】同上の更に他例を示すもので、(a)は充電時の概略断面図、(b)は発熱乾燥時の概略断面図である。
【符号の説明】
【００２３】
１  電気かみそり
２  刃部
３  充電器
４  保護部材
４０  磁性体
【図１】
2005199083.tif 000003
【図２】
2005199083.tif 000004
【図３】
2005199083.tif 000005
【図４】
2005199083.tif 000006